(57)【要約】【課題】  ネットワークの構成やファクシミリ装置の変更が発生しても読取装置自体の設定を変えることなく画像データを電話回線に転送し、且つ同報による転送を行う。【解決手段】  指示機装置２００にて画像データが取得され、取得された画像データを転送する中継装置１００−１〜１００−ｍを検索するためのデータであって複数の送信先アドレスを含むブロードキャストデータが生成されて中継装置１００−１〜１００−ｍに送信され、中継装置１００−１〜１００−ｍにて受信されたブロードキャストデータと応答条件とが一致した場合、中継装置１００−１〜１００−ｍにて応答データが生成されて指示機装置２００に送信され、指示機装置２００にて受信された応答データに基づいて、画像データの転送を担う中継装置１００−１〜１００−ｍが決定され、決定された中継装置１００−１〜１００−ｍを用いて画像データが電話回線４００上に転送される。【選択図】図２
2006304185.tif 000002
【特許請求の範囲】
【請求項１】
取得した画像データを通信回線上に送信する指示機装置と、前記指示機装置から送信された画像データを前記通信回線を介して受信し、受信した画像データを電話回線上に転送する複数の中継装置とを有してなるファクシミリ送信システムにおいて、
前記複数の中継装置はそれぞれ、前記指示機装置から送信された画像データを転送可能となる送信先情報を保持し、前記指示機装置から前記画像データの送信先情報が送信されてきた場合に、該送信先情報が保持されているものである場合、前記画像データの転送が可能である旨を示す応答を前記指示機装置に送信し、
前記指示機装置は、前記応答が送信されてきた中継装置に対して前記画像データを送信することを特徴とするファクシミリ送信システム。
【請求項２】
請求項１に記載のファクシミリ送信システムにおいて、
前記指示機装置は、前記画像データの送信先情報を前記複数の中継装置に対してブロードキャストデータとして送信することを特徴とするファクシミリ送信システム。
【請求項３】
請求項１または請求項２に記載のファクシミリ送信システムにおいて、
前記指示機装置は、複数の中継装置から前記応答が送信されてきた場合、当該複数の中継装置の負荷を均等化するように前記画像データを送信することを特徴とするファクシミリ送信システム。
【請求項４】
取得した画像データを通信回線上に送信する指示機装置と、前記指示機装置から送信された画像データを前記通信回線を介して受信し、受信した画像データを電話回線上に転送する複数の中継装置とを有してなるファクシミリ送信システムにおけるファクシミリ送信方法であって、
前記指示機装置から前記画像データの送信先情報を前記複数の中継装置に送信する処理と、
前記複数の中継装置のそれぞれにて、前記指示機装置から送信されてきた送信先情報が、前記画像データを転送可能となる送信先情報であるかどうかを確認する処理と、
前記指示機装置から送信されてきた送信先情報が、前記画像データを転送可能となる送信先情報である場合、前記画像データの転送が可能である旨を示す応答を当該中継装置から前記指示機装置に送信する処理と、
前記応答が送信されてきた中継装置に対して前記指示機装置から前記画像データを送信する処理とを有するファクシミリ送信方法。
【請求項５】
請求項４に記載のファクシミリ送信方法において、
前記画像データの送信先情報を前記指示機装置から前記複数の中継装置に対してブロードキャストデータとして送信することを特徴とするファクシミリ送信方法。
【請求項６】
請求項４または請求項５に記載のファクシミリ送信方法において、
前記指示機装置に複数の中継装置から前記応答が送信されてきた場合、当該複数の中継装置の負荷を均等化するように当該指示機装置から前記画像データを送信することを特徴とするファクシミリ送信方法。
【発明の詳細な説明】
【技術分野】
【０００１】
本発明は、電話回線に接続されていない装置からファクシミリデータを送信するファクシミリ送信システム及びファクシミリ送信方法に関する。
【背景技術】
【０００２】
従来より、電話回線に接続されていない装置（以下、読取装置と称する）にて読み取られ、または作成された画像データを電話回線を用いて送信する場合、その読取装置において読み取られた、または作成された画像を印刷し、その印刷されたものを電話回線に接続されたファクシミリ装置にて読み取り、送信する方法がとられている。
【０００３】
しかし、上述した方法においては、読取装置にて画像を読み取って印刷し、印刷された画像をさらにファクシミリ装置にて読み取るといった、重複した処理が発生してしまう。
【０００４】
そのため、読取装置をネットワークを介してファクシミリ装置に接続し、読取装置にて読み取られ、または作成された画像データをネットワークを介してファクシミリ装置に送信し、ファクシミリ装置にて受信された画像データを電話回線に転送する方法が考えられている。
【０００５】
また、近年、ネットワークを介して複数のノードを接続し、各ノード間のリンクが動的に選択生成されることにより、ノード間にてデータの送受信を行う方法が考えられている（例えば、特許文献１参照。）。
【特許文献１】特開２００３−２９８５９４号公報
【発明の開示】
【発明が解決しようとする課題】
【０００６】
しかしながら、読取装置をネットワークを介してファクシミリ装置に接続して画像データを転送する方法においては、画像データを転送するファクシミリ装置が変更された場合、読取装置における送信先の設定をその都度変更しなければならないという問題点がある。
【０００７】
また、特許文献１に記載された方法においては、ノード間におけるリンク切断時においてリンクの動的再設定による経路の変更に関するものであって、電話回線へ画像データを送信不可能な装置からファクシミリ装置を用いた画像データの転送に関するものではなく、また同報によるデータ送信の場合のリンク設定方法については記載されていない。
【０００８】
本発明は、上述したような従来の技術が有する問題点に鑑みてなされたものであって、ネットワークの構成やファクシミリ装置の変更が発生しても読取装置自体の設定を変えることなく画像データを電話回線に転送することができ、且つ同報による転送を行うことができるファクシミリ送信システム及びファクシミリ送信方法を提供することを目的とする。
【課題を解決するための手段】
【０００９】
上記目的を達成するために本発明は、
取得した画像データを通信回線上に送信する指示機装置と、前記指示機装置から送信された画像データを前記通信回線を介して受信し、受信した画像データを電話回線上に転送する複数の中継装置とを有してなるファクシミリ送信システムにおいて、
前記複数の中継装置はそれぞれ、前記指示機装置から送信された画像データを転送可能となる送信先情報を保持し、前記指示機装置から前記画像データの送信先情報が送信されてきた場合に、該送信先情報が保持されているものである場合、前記画像データの転送が可能である旨を示す応答を前記指示機装置に送信し、
前記指示機装置は、前記応答が送信されてきた中継装置に対して前記画像データを送信することを特徴とする。
【００１０】
また、前記指示機装置は、前記画像データの送信先情報を前記複数の中継装置に対してブロードキャストデータとして送信することを特徴とする。
【００１１】
また、前記指示機装置は、複数の中継装置から前記応答が送信されてきた場合、当該複数の中継装置の負荷を均等化するように前記画像データを送信することを特徴とする。
【００１２】
また、取得した画像データを通信回線上に送信する指示機装置と、前記指示機装置から送信された画像データを前記通信回線を介して受信し、受信した画像データを電話回線上に転送する複数の中継装置とを有してなるファクシミリ送信システムにおけるファクシミリ送信方法であって、
前記指示機装置から前記画像データの送信先情報を前記複数の中継装置に送信する処理と、
前記複数の中継装置のそれぞれにて、前記指示機装置から送信されてきた送信先情報が、前記画像データを転送可能となる送信先情報であるかどうかを確認する処理と、
前記指示機装置から送信されてきた送信先情報が、前記画像データを転送可能となる送信先情報である場合、前記画像データの転送が可能である旨を示す応答を当該中継装置から前記指示機装置に送信する処理と、
前記応答が送信されてきた中継装置に対して前記指示機装置から前記画像データを送信する処理とを有する。
【００１３】
また、前記画像データの送信先情報を前記指示機装置から前記複数の中継装置に対してブロードキャストデータとして送信することを特徴とする。
【００１４】
また、前記指示機装置に複数の中継装置から前記応答が送信されてきた場合、当該複数の中継装置の負荷を均等化するように当該指示機装置から前記画像データを送信することを特徴とする。
【００１５】
上記のように構成された本発明においては、取得した画像データを通信回線上に送信する指示機装置から画像データの送信先情報が画像データを電話回線上に転送する複数の中継装置に送信され、中継装置にて指示機装置から送信されてきた送信先情報が、画像データを転送可能となる送信先情報であるかどうかが確認され、指示機装置から送信されてきた送信先情報が、画像データを転送可能となる送信先情報である場合、画像データの転送が可能である旨を示す応答が当該中継装置から指示機装置に送信され、応答が送信されてきた中継装置に対して指示機装置から画像データが送信される。
【００１６】
このように、画像データを取得する機能を有するが、電話回線に接続されていない指示機装置から画像データを電話回線上に転送する中継装置をその都度検索することにより、ネットワークの構成や中継装置の設定に固定されること無く、指示機装置側にてそれらの設定を記憶しておく必要が無い。また、送信先情報に複数の送信先アドレスを含むことにより、同報送信が可能となる。
【発明の効果】
【００１７】
以上説明したように本発明においては、取得した画像データを通信回線上に送信する指示機装置から画像データの送信先情報が画像データを電話回線上に転送する複数の中継装置に送信され、中継装置にて指示機装置から送信されてきた送信先情報が、画像データを転送可能となる送信先情報であるかどうかが確認され、指示機装置から送信されてきた送信先情報が、画像データを転送可能となる送信先情報である場合、画像データの転送が可能である旨を示す応答が当該中継装置から指示機装置に送信され、応答が送信されてきた中継装置に対して指示機装置から画像データが送信される構成としたため、ネットワークの構成やファクシミリ装置の変更が発生しても読取装置自体の設定を変えることなく画像データを電話回線に転送することができ、且つ同報による転送を行うことができる。
【発明を実施するための最良の形態】
【００１８】
以下に、本発明の実施の形態について図面を参照して説明する。
【００１９】
図１は、本発明のファクシミリ送信システムの実施の一形態を示す図である。
【００２０】
本形態は図１に示すように、電話回線に接続され、ファクシミリ送信が可能なファクシミリ装置である中継装置１００−１〜１００−ｍと、中継装置１００−１〜１００−ｍとＬＡＮ３００を介して接続され、ファクシミリの送信が不可能な読取装置である指示機装置２００とから構成されている。なお、指示機装置２００は、画像データの転送処理を担う中継装置１００−１〜１００−ｍを検索するために、ＬＡＮ３００を介して中継装置１００−１〜１００−ｍに対して画像データの転送処理の要求信号であるブロードキャストデータを送信し、中継装置１００−１〜１００−ｍにて受信されたブロードキャストデータに基づいて転送可能と判断した場合、中継装置１００−１〜１００−ｍから指示機装置２００へブロードキャストの応答データをＬＡＮ３００を介して指示機装置２００へ送信する。
【００２１】
図２は、図１に示した中継装置１００−１〜１００−ｍ及び指示機装置２００の構成を示す図である。
【００２２】
図２に示すように中継装置１００−１〜１００−ｍはそれぞれ、ＬＡＮ３００に対してのデータの送受信を制御するＬＡＮ制御部１１０−１〜１１０−ｍと、中継装置１００−１〜１００−ｍ及び指示機装置２００のＩＰアドレスや転送する画像データ等を記憶する記憶部１２０−１〜１２０−ｍと、ブロードキャストデータの解析を行う解析部１３０−１〜１３０−ｍと、指示機装置２００へ送信するブロードキャストの応答データを生成する生成部１４０−１〜１４０−ｍと、指示機装置２００から送信されてきた画像データを電話回線４００上にファクシミリ送信するためのデータ形式に変換するデータ変換部１５０−１〜１５０−ｍと、データ変換部１５０−１〜１５０−ｍにて変換されたデータを電話回線４００にそれぞれファクシミリ送信する制御を行うモデム制御部１８０−１〜１８０−ｍとからそれぞれ構成されている。
【００２３】
また、指示機装置２００は図２に示すように、ＬＡＮ３００に対してのデータの送受信を制御するＬＡＮ制御部２１０と、中継装置１００−１〜１００−ｍ及び指示機装置２００のＩＰアドレスや転送する画像データ等を記憶する記憶部２２０と、ブロードキャストの応答データの解析を行う解析部２３０と、中継装置１００−１〜１００−ｍへ送信するブロードキャストデータや転送データを生成する生成部２４０と、送信すべき画像データを読み取る読取部２７０と、読取部２７０にて読み取られた画像データを中継装置１００−１〜１００−ｍに送信するためのデータ形式に変換するデータ変換部２５０と、ファクシミリを送信する先の送信先アドレスを入力するための入力部２９０とから構成されている。なお、入力部２９０に入力される送信先アドレスは、ファクシミリを送信する送信先のＦＡＸ番号である。
【００２４】
図３は、図２に示した記憶部１２０−１〜１２０−ｍに格納されている要素のエリア構成を示す図である。
【００２５】
図２に示した記憶部１２０−１〜１２０−ｍには図３に示すように、中継装置１００−１〜１００−ｍのＩＰアドレスを示す中継装置ＩＰアドレスを格納するための中継装置ＩＰアドレス格納エリア１２０１−１〜１２０１−ｍと、指示機装置２００から送信されてきたブロードキャストデータに対して応答データを返信するかどうかを判断するための条件である応答条件を格納するための応答条件格納エリア１２０２−１〜１２０２−ｍと、ブロードキャストデータに固有に振られた要求ＩＤを格納するための要求ＩＤ格納エリア１２０３−１〜１２０３−ｍと、指示機装置２００のＩＰアドレスである指示機ＩＰアドレスを格納するための指示機ＩＰアドレス格納エリア１２０４−１〜１２０４−ｍと、ファクシミリ送信先の送信先情報つまりＦＡＸ番号である送信先アドレスを格納するための送信先アドレス格納エリア１２０５−１〜１２０５−ｍと、ファクシミリデータとともに送信される送信端末識別信号であるＴＳＩに設定される発信元を示すＩＤを格納するためのＴＳＩ−ＩＤ格納エリア１２０６−１〜１２０６−ｍと、指示機装置２００から送信され、電話回線４００へ転送する画像データを格納するための画像データ格納エリア１２０７−１〜１２０７−ｍと、指示機装置２００へ送信するブロードキャストデータに対する応答データや電話回線４００へ送信するファクシミリデータを組み立てる際に使用されるワークエリア１２０８−１〜１２０８−ｍとがそれぞれ設けられている。なお、要求ＩＤ格納エリア１２０３−１〜１２０３−ｍ、指示機ＩＰアドレス格納エリア１２０４−１〜１２０４−ｍ、送信先アドレス格納エリア１２０５−１〜１２０５−ｍ、ＴＳＩ−ＩＤ格納エリア１２０６−１〜１２０６−ｍ及び画像データ格納エリア１２０７−１〜１２０７−ｍは、それぞれ複数存在し、１つの要求ＩＤ格納エリア１２０３−１〜１２０３−ｍに対して指示機ＩＰアドレス格納エリア１２０４−１〜１２０４−ｍ、送信先アドレス格納エリア１２０５−１〜１２０５−ｍ、ＴＳＩ−ＩＤ格納エリア１２０６−１〜１２０６−ｍ及び画像データ格納エリア１２０７−１〜１２０７−ｍがそれぞれ１つずつ対応付けられている。
【００２６】
図４は、図２に示した記憶部２２０に格納されている要素のエリア構成を示す図である。
【００２７】
図２に示した記憶部２２０には図４に示すように、指示機装置２００のＩＰアドレスを示す指示機ＩＰアドレスを格納するための指示機ＩＰアドレス格納エリア２２０１と、ファクシミリデータとともに送信される送信端末識別信号であるＴＳＩに設定される発信元を示すＩＤであるＴＳＩ−ＩＤを格納するためのＴＳＩ−ＩＤ格納エリア２２０６と、ブロードキャストデータに固有に振られる要求ＩＤを格納するための要求ＩＤ格納エリア２２０３と、中継装置１００−１〜１００−ｍのＩＰアドレスである中継装置ＩＰアドレスを格納するための中継装置ＩＰアドレス格納エリア２２０４と、ファクシミリ送信先のＦＡＸ番号である送信先アドレスを格納するための送信先アドレス格納エリア２２０５と、中継装置１００−１〜１００−ｍへ送信する画像データを格納するための画像データ格納エリア２２０７と、中継装置１００−１〜１００−ｍへ送信するブロードキャストデータや電話回線４００へ送信する画像データを組み立てる際に使用されるワークエリア２２０８とが設けられている。なお、要求ＩＤ格納エリア２２０３、中継装置ＩＰアドレス格納エリア２２０４、送信先アドレス格納エリア２２０５及び画像データ格納エリア２２０７は、それぞれ複数存在し、１つの要求ＩＤ格納エリア２２０３に対して中継装置ＩＰアドレス格納エリア２２０４、送信先アドレス格納エリア２２０５及び画像データ格納エリア２２０７がそれぞれ１つずつ対応付けられている。
【００２８】
図５は、図３に示した応答条件格納エリア１２０２−１〜１２０２−ｍの構成を示す図である。
【００２９】
図３に示した応答条件格納エリア１２０２−１〜１２０２−ｍは図５に示すように、設定内容格納エリア１２０２１−１〜１２０２１−ｍと、設定値格納エリア１２０２２−１〜１２０２２−ｍとからそれぞれ構成されている。設定内容格納エリア１２０２１−１〜１２０２１−ｍには、設定値格納エリア１２０２２−１〜１２０２２−ｍに格納されている内容が送信先アドレスであるかＴＳＩ−ＩＤであるかを示す識別コードがそれぞれ設定される。この識別コードは、例えば送信先アドレスであれば「１」、また、ＴＳＩ−ＩＤであれば「２」といったように、予め決められた固有の番号である。設定値格納エリア１２０２２−１〜１２０２２−ｍには、設定内容格納エリア１２０２１−１〜１２０２１−ｍに格納された識別コードに応じた内容に対する値がそれぞれ設定される。
【００３０】
以下に、図１〜５に示したファクシミリ送信システムにおけるファクシミリ送信方法の第１の実施例について説明する。
【００３１】
図６は、図１〜５に示したファクシミリ送信システムにおけるファクシミリ送信方法の第１の実施例を説明するためのシーケンス図である。
【００３２】
初期設定として、指示機装置２００のＩＰアドレスが、記憶部２２０の指示機ＩＰアドレス格納エリア２２０１に、またファクシミリデータとともに送信される送信端末識別信号であるＴＳＩに設定される発信元を示すＩＤであるＴＳＩ−ＩＤがＴＳＩ−ＩＤ格納エリア２２０６に、それぞれ予め格納されている。ＴＳＩ−ＩＤは画像データを送信する指示機装置２００の固有の番号であり、必ずしも必要であるとは限らない。
【００３３】
指示機装置２００の読取部２７０にてファクシミリ送信する原稿が読み取られ（ステップＳ１）、また、入力部２９０にファクシミリ送信する送信先のＦＡＸ番号が入力されると（ステップＳ２）、それらは記憶部２２０内の画像データ格納エリア２２０７及び送信先アドレス格納エリア２２０５にそれぞれ格納される。なお、入力された送信先のＦＡＸ番号は送信先アドレスとして送信先アドレス格納エリア２２０５に格納される。
【００３４】
その後、生成部２４０にて要求ＩＤが決定され、決定された要求ＩＤが、入力部２９０に入力された送信先アドレスが格納されている送信先アドレス格納エリア２２０５と画像データが格納されている画像データ格納エリア２２０７とに対応付けられた要求ＩＤ格納エリア２２０３に格納される。そして、格納された要求ＩＤ、指示機ＩＰアドレス、送信先アドレス及びＴＳＩ−ＩＤからブロードキャストデータが生成される（ステップＳ３）。ここで、要求ＩＤは要求案件毎に振られる固有の番号であり、例えば、指示機ＩＰアドレスに日時分秒を加えた数字の列でも良い。
【００３５】
図７は、図１に示した指示機装置２００から中継装置１００−１〜１００−ｍへ送信されるブロードキャストデータの一構成例を示す図である。
【００３６】
図７に示すようにブロードキャストデータ３０１は、当該ブロードキャストデータ３０１固有の番号である要求ＩＤ３０１１と、指示機装置２００のＩＰアドレスである指示機ＩＰアドレス３０１２と、ファクシミリ送信先のＦＡＸ番号である送信先アドレス３０１３と、送信端末識別信号であるＴＳＩに設定される発信元を示すＩＤであるＴＳＩ−ＩＤ３０１４とから構成されている。なお、画像データを送信する際に必要な情報があれば、上述したもの以外の情報を付加しても構わない。
【００３７】
生成部２４０にてブロードキャストデータ３０１が生成されると、ＬＡＮ制御部２１０を介してＬＡＮ３００上へブロードキャストデータ３０１がブロードキャスト送信される（ステップＳ４）。
【００３８】
ブロードキャスト送信されたブロードキャストデータ３０１は、ＬＡＮ３００に接続されている中継装置１００−１〜１００−ｍにて受信され（ステップＳ５）、中継措置１００−１〜１００−ｍのＬＡＮ制御部１１０−１〜１１０−ｍを介して、記憶部１２０−１〜１２０−ｍのワークエリア１２０８−１〜１２０８−ｍ内にそれぞれ一時格納される。
【００３９】
そして、一時格納されたブロードキャストデータ３０１が解析部１３０−１〜１３０−ｍによってそれぞれ解析され、ブロードキャストデータ３０１の中から要求ＩＤ３０１１、指示機ＩＰアドレス３０１２、送信先アドレス３０１３及びＴＳＩ−ＩＤ３０１４が抽出され、要求ＩＤ格納エリア１２０３−１〜１２０３−ｍ、指示機ＩＰアドレス格納エリア１２０４−１〜１２０４−ｍ、送信先アドレス格納エリア１２０５−１〜１２０５−ｍ及びＴＳＩ−ＩＤ格納エリア１２０６−１〜１２０６−ｍにそれぞれ格納される（ステップＳ６）。
【００４０】
次に、生成部１４０−１〜１４０−ｍによって、応答条件格納エリア１２０２−１〜１２０２−ｍに格納されている応答条件と受信されたブロードキャストデータ３０１の内容とがそれぞれ比較される（ステップＳ７）。例えば、応答条件格納エリア１２０２−１の設定内容格納エリア１２０２１−１に送信先アドレスを示す「１」が設定されており、また設定値格納エリア１２０２２−１に「１２３４」が格納されている場合、受信されたブロードキャストデータ３０１の送信先アドレス３０１３のはじめの４桁が「１２３４」であれば一致したと判断される。したがって、受信されたブロードキャストデータ３０１の送信先アドレス３０１３が「１２３４５６７８」や「１２３４８７６５」である場合は、はじめの４桁が一致するため、応答条件が一致したと判断される。
【００４１】
応答条件が一致したと判断された場合、ブロードキャストデータ３０１に対する応答データが生成部１４０−１〜１４０−ｍによって生成される（ステップＳ８）。一方、応答条件が一致しないと判断された場合は、応答データは生成されない。また、中継装置１００−１〜１００−ｍにて応答条件が一致したと判断された場合であっても、中継装置１００−１〜１００−ｍに接続されている電話回線４００への回線が使用中であると判断された場合は、応答データは生成されない。ここで、中継装置１００−１については、応答条件が一致したと判断されたものとし、中継装置１００−２〜１００−ｍについては、応答条件が一致しないと判断されたもしくは接続されている電話回線４００への回線が使用中であると判断されたものとする。その後、応答条件が一致しないと判断されたもしくは接続されている電話回線４００への回線が使用中であると判断された中継装置１００−２〜１００−ｍの記憶部１２０−２〜１２０−ｍ内にそれぞれ格納されたブロードキャストデータ３０１の内容は不要であるため記憶部１２０−２〜１２０−ｍからそれぞれ消去される。
【００４２】
図８は、図７に示したブロードキャストデータ３０１に対して図１に示した中継装置１００−１から指示機装置２００へ送信される応答データの構成を示す図である。
【００４３】
図８に示すように応答データ３０２は、当該ブロードキャストデータ３０１の固有の番号である要求ＩＤ３０１１と、中継装置１００−１のＩＰアドレスである中継装置ＩＰアドレス３０２１とから構成されている。要求ＩＤ３０１１は指示機装置２００から送信され、中継装置１００−１にて受信された後、記憶部１２０−１の要求ＩＤ格納エリア１２０３−１に格納されているものであり、また、中継装置ＩＰアドレス３０２１は記憶部１２０−１の中継装置ＩＰアドレス格納エリア１２０１−１に予め格納されているものである。
【００４４】
応答データ３０２が生成されると、生成された応答データ３０２はＬＡＮ制御部１１０−１を介してＬＡＮ３００に接続されている指示機装置２００へ送信される（ステップＳ９）。
【００４５】
指示機装置２００へ送信された応答データ３０２は、指示機装置２００のＬＡＮ制御部２１０にて受信され（ステップＳ１０）、記憶部２２０のワークエリア２２０８内に一時格納される。なお、指示機装置２００内にタイマーを設け、ブロードキャストデータ３０１が送信されてから応答データ３０２が受信されるまでの時間を制限しても良い。
【００４６】
そして、一時格納された応答データ３０２が解析部２３０によって解析され、応答データ３０２の中から要求ＩＤ３０１１及び中継装置ＩＰアドレス３０２１が抽出され、抽出された要求ＩＤ３０１１が要求ＩＤ格納エリア２２０３に格納されている要求ＩＤと同じであるかどうかが判断され、同じであると判断された場合、抽出された中継装置ＩＰアドレス３０２１が当該要求ＩＤが格納されている要求ＩＤ格納エリア２２０３に対応付けられている中継装置ＩＰアドレス格納エリア２２０４に格納される（ステップＳ１１）。一方、同じではないと判断された場合は、格納されない。
【００４７】
その後、データ変換部２５０によって画像データ格納エリア２２０７に格納されている画像データがＬＡＮ３００上に送信可能なデータ形式、例えばＴＩＦＦやＰＤＦ形式あるいはテキストやバイナリ形式に変換され、変換された画像データが再度画像データ格納エリア２２０７に格納される。そして、データ変換部２５０において、転送データが組み立てられる（ステップＳ１２）。
【００４８】
図９は、図１に示した指示機装置２００から中継装置１００−１へ送信される転送データの一構成例を示す図である。
【００４９】
図９に示すように転送データ３０３は、要求ＩＤ格納エリア２２０３に格納されている要求ＩＤ３０１１と、中継装置ＩＰアドレス格納エリア２２０４に格納されている中継装置ＩＰアドレス３０２１と、指示機ＩＰアドレス格納エリア２２０１に格納されている指示機ＩＰアドレス３０１２と、画像データ格納エリア２２０７に格納されている画像データ３０３１とから構成されている。これらが各格納エリアからそれぞれ読み出されてワークエリア２２０８上にて組み立てられると、組み立てられた転送データ３０３がＬＡＮ制御部２１０を介してＬＡＮ３００に接続されている中継装置１００−１に送信される（ステップＳ１３）。
【００５０】
その後、指示機装置２００において、送信完了した転送データ３０３の要求ＩＤ３０１１、中継装置ＩＰアドレス３０２１及び画像データ３０３１、並びにブロードキャストデータ３０１の送信先アドレス３０１３が記憶部２２０から消去される。
【００５１】
指示機装置２００から転送データ３０３が中継装置１００−１に送信されると、中継装置１００−１にて転送データ３０３が受信され（ステップＳ１４）、ＬＡＮ制御部１１０−１を介して、記憶部１２０−１のワークエリア１２０８−１内に一時格納される。このとき、転送データ３０３内の中継装置ＩＰアドレス３０２１が参照され、中継装置ＩＰアドレス３０２１と中継装置１００−１のＩＰアドレスとが一致したと判断された場合のみ、転送データ３０３がワークエリア１２０８−１内に格納される。
【００５２】
そして、一時格納された転送データ３０３の中から要求ＩＤ３０１１及び画像データ３０３１がデータ変換部１５０−１によって抽出され、要求ＩＤ３０１１と同じ要求ＩＤが格納されている要求ＩＤ格納エリア１２０３−１に対応付けられた画像データ格納エリア１２０７−１に画像データ３０３１が格納される（ステップＳ１５）。このとき、画像データ３０３１は、データ変換部１５０−１によってファクシミリ送信可能なデータ形式に変換されて画像データ格納エリア１２０７−１に格納される。
【００５３】
その後、送信先アドレス格納エリア１２０５−１に格納されている送信先ＦＡＸ番号である送信先アドレス３０１３に対して、画像データ格納エリア１２０７−１に格納されている変換された画像データがモデム制御部１８０−１を介してファクシミリ送信される（ステップＳ１６）。このとき、ＴＳＩ−ＩＤ格納エリア１２０６−１にＴＳＩ−ＩＤ３０１４が格納されている場合は、ＴＳＩ−ＩＤ３０１４がＴＳＩ信号として付与される。
【００５４】
以下に、図１〜５に示したファクシミリ送信システムにおけるファクシミリ送信方法の第２の実施例について説明する。第２の実施例は、ファクシミリ送信の送信先が複数存在する場合を例に挙げる。
【００５５】
図１０は、図１〜５に示したファクシミリ送信システムにおけるファクシミリ送信方法の第２の実施例を説明するためのシーケンス図である。
【００５６】
初期設定については、上述した第１の実施例における初期設定と同様である。
【００５７】
指示機装置２００の読取部２７０にてファクシミリ送信する原稿が読み取られ（ステップＳ３１）、また、入力部２９０にファクシミリ送信する送信先のＦＡＸ番号が入力されると（ステップＳ３２）、それらは記憶部２２０内の画像データ格納エリア２２０７及び送信先アドレス格納エリア２２０５にそれぞれ格納される。なお、入力された送信先のＦＡＸ番号は送信先アドレスとして送信先アドレス格納エリア２２０５に格納される。本実施例においては、複数の送信先アドレスが送信先アドレス格納エリア２２０５に格納される。
【００５８】
その後、生成部２４０にて要求ＩＤが決定され、決定された要求ＩＤが、入力部２９０に入力された送信先アドレスが格納されている送信先アドレス格納エリア２２０５と画像データが格納されている画像データ格納エリア２２０７とに対応付けられた要求ＩＤ格納エリア２２０３に格納される。そして、格納された要求ＩＤ、指示機ＩＰアドレス、送信先アドレス及びＴＳＩ−ＩＤからブロードキャストデータが生成される（ステップＳ３３）。ここで、要求ＩＤは要求案件毎に振られる固有の番号であり、例えば、指示機ＩＰアドレスに日時分秒を加えた数字の列でも良い。
【００５９】
図１１は、図１に示した指示機装置２００から中継装置１００−１〜１００−ｍへ送信されるブロードキャストデータの他の構成例を示す図である。
【００６０】
図１１に示すようにブロードキャストデータ３０４は、当該ブロードキャストデータ３０４固有の番号である要求ＩＤ３０４１と、指示機装置２００のＩＰアドレスである指示機ＩＰアドレス３０４２と、３箇所指定されたファクシミリ送信先のＦＡＸ番号である送信先アドレス３０４３ａ〜３０４３ｃと、送信端末識別信号であるＴＳＩに設定される発信元を示すＩＤであるＴＳＩ−ＩＤ３０４４とから構成されている。なお、画像データを送信する際に必要な情報があれば、上述したもの以外の情報を付加しても構わない。
【００６１】
生成部２４０にてブロードキャストデータ３０４が生成されると、ＬＡＮ制御部２１０を介してＬＡＮ３００上へブロードキャストデータ３０４がブロードキャスト送信される（ステップＳ３４）。
【００６２】
ブロードキャスト送信されたブロードキャストデータ３０４は、ＬＡＮ３００に接続されている中継装置１００−１〜１００−ｍにて受信され（ステップＳ３５）、中継措置１００−１〜１００−ｍのＬＡＮ制御部１１０−１〜１１０−ｍを介して、記憶部１２０−１〜１２０−ｍのワークエリア１２０８−１〜１２０８−ｍ内にそれぞれ一時格納される。
【００６３】
そして、一時格納されたブロードキャストデータ３０４が解析部１３０−１〜１３０−ｍによって解析され、ブロードキャストデータ３０４の中から要求ＩＤ３０４１、指示機ＩＰアドレス３０４２、送信先アドレス３０４３ａ〜３０４３ｃ及びＴＳＩ−ＩＤ３０４４が抽出され、要求ＩＤ格納エリア１２０３−１〜１２０３−ｍ、指示機ＩＰアドレス格納エリア１２０４−１〜１２０４−ｍ、送信先アドレス格納エリア１２０５−１〜１２０５−ｍ及びＴＳＩ−ＩＤ格納エリア１２０６−１〜１２０６−ｍにそれぞれ格納される（ステップＳ３６）。
【００６４】
次に、生成部１４０−１〜１４０−ｍによって、応答条件格納エリア１２０２−１〜１２０２−ｍに格納されている応答条件と受信されたブロードキャストデータ３０４の内容とがそれぞれ比較される（ステップＳ３７）。比較方法については、第１の実施例と同様である。
【００６５】
応答条件が一致したと判断された場合、ブロードキャストデータ３０４に対する応答データが生成部１４０−１〜１４０−ｍによって生成される（ステップＳ３８）。一方、応答条件が一致しないと判断された場合は、応答データは生成されない。また、中継装置１００−１〜１００−ｍにて応答条件が一致したと判断された場合であっても、中継装置１００−１〜１００−ｍに接続されている電話回線４００への回線が使用中であると判断された場合は、応答データは生成されない。ここで、中継装置１００−１については、送信先アドレス３０４３ａ〜３０４３ｃについて応答条件が一致したと判断されたものとし、中継装置１００−２については、送信先アドレス３０４３ａ〜３０４３ｃのうち送信先アドレス３０４３ｃのみ応答条件が一致したと判断されたものとし、また、中継装置１００−３〜１００−ｍについては、応答条件が一致しないと判断されたもしくは接続されている電話回線４００への回線が使用中であると判断されたものとする。
【００６６】
その後、応答条件が一致しないと判断されたもしくは接続されている電話回線４００への回線が使用中であると判断された中継装置１００−３〜１００−ｍの記憶部１２０−３〜１２０−ｍ内に格納されたブロードキャストデータ３０４の内容は不要であるため消去され、また中継装置１００−２においても、応答条件が一致しないと判断された送信先アドレス３０４３ａ〜３０４３ｂについては、記憶部１２０−２から消去される。
【００６７】
図１２は、図１１に示したブロードキャストデータ３０４に対して図１に示した中継装置１００−１から指示機装置２００へ送信される応答データの構成を示す図である。
【００６８】
図１２に示すように応答データ３０５は、当該ブロードキャストデータ３０４の固有の番号である要求ＩＤ３０４１と、中継装置１００−１のＩＰアドレスである中継装置ＩＰアドレス３０５１と、応答条件が一致したと判断された送信先アドレス３０４３ａ〜３０４３ｃとから構成されている。要求ＩＤ３０４１は指示機装置２００から送信され、中継装置１００−１にて受信された後、記憶部１２０−１の要求ＩＤ格納エリア１２０３−１に格納されているものであり、また、中継装置ＩＰアドレス３０２１は記憶部１２０−１の中継装置ＩＰアドレス格納エリア１２０１−１に予め格納されているものであり、また送信先アドレス３０４３ａ〜３０４３ｃは記憶部１２０−１の送信先アドレス格納エリア１２０５−１に格納されているものである。
【００６９】
図１３は、図１１に示したブロードキャストデータ３０４に対して図１に示した中継装置１００−２から指示機装置２００へ送信される応答データの構成を示す図である。
【００７０】
図１３に示すように応答データ３０６は、当該ブロードキャストデータ３０４の固有の番号である要求ＩＤ３０４１と、中継装置１００−２のＩＰアドレスである中継装置ＩＰアドレス３０６１と、応答条件が一致したと判断された送信先アドレス３０４３ｃとから構成されている。要求ＩＤ３０４１は指示機装置２００から送信され、中継装置１００−２にて受信された後、記憶部１２０−２の要求ＩＤ格納エリア１２０３−２に格納されているものであり、また、中継装置ＩＰアドレス３０６１は記憶部１２０−２の中継装置ＩＰアドレス格納エリア１２０１−２に予め格納されているものであり、また、送信先アドレス３０４３ｃは記憶部１２０−２の送信先アドレス格納エリア１２０５−２にそれぞれ格納されているものである。
【００７１】
応答データ３０５，３０６が生成されると、生成された応答データ３０５，３０６はそれぞれＬＡＮ制御部１１０−１〜１１０−２を介してＬＡＮ３００に接続されている指示機装置２００へ送信される（ステップＳ３９）。
【００７２】
指示機装置２００へ送信された応答データ３０５，３０６は、指示機装置２００のＬＡＮ制御部２１０にて受信され（ステップＳ４０）、記憶部２２０のワークエリア２２０８内に一時格納される。なお、指示機装置２００内にタイマーを設け、ブロードキャストデータ３０４が送信されてから応答データ３０５，３０６が受信されるまでの時間を制限しても良い。
【００７３】
そして、一時格納された応答データ３０５，３０６が解析部２３０によって解析され、応答データ３０５の中から要求ＩＤ３０４１、中継装置ＩＰアドレス３０５１及び送信先アドレス３０４３ａ〜３０４３ｃが抽出され、抽出された要求ＩＤ３０４１が要求ＩＤ格納エリア２２０３に格納されている要求ＩＤと同じであるかどうかが判断され、同じであると判断された場合、抽出された中継装置ＩＰアドレス３０５１及び送信先アドレス３０４３ａ〜３０４３ｃが当該要求ＩＤが格納されている要求ＩＤ格納エリア２２０３に対応付けられている中継装置ＩＰアドレス格納エリア２２０４及び送信先アドレス格納エリア２２０５にそれぞれ格納される。また、応答データ３０６の中から要求ＩＤ３０４１、中継装置ＩＰアドレス３０６１及び送信先アドレス３０４３ｃが抽出され、抽出された要求ＩＤ３０４１が要求ＩＤ格納エリア２２０３に格納されている要求ＩＤと同じであるかどうかが判断され、同じであると判断された場合、抽出された中継装置ＩＰアドレス３０６１及び送信先アドレス３０４３ｃが当該要求ＩＤが格納されている要求ＩＤ格納エリア２２０３に対応付けられている中継装置ＩＰアドレス格納エリア２２０４及び送信先アドレス格納エリア２２０５にそれぞれ格納される（ステップＳ４１）。このとき、同じ要求ＩＤ３０４１を持つ応答データ３０５，３０６が２つ存在するため、記憶部２２０内の異なる要求ＩＤ格納エリア２２０３に同じ要求ＩＤ３０４１が格納されることとなるが、それぞれに対応付けられた中継装置ＩＰアドレス格納エリア２２０４に格納されている中継装置ＩＰアドレス３０５１，３０６１によって区別される。また、同じではないと判断された場合は、格納されない。
【００７４】
ここで、図１２に示した送信先アドレス３０４３ａ，３０４３ｂについては、応答データ３０５のみに含まれているため、転送データが送信先アドレス３０４３ａ，３０４３ｂに転送されるための中継装置は中継装置１００−１と決定される。また、送信先アドレス３０４３ｃついては、応答データ３０５と応答データ３０６との双方に含まれているため、転送データが送信先アドレス３０４３ｃに転送されるための中継装置は中継装置１００−１と中継装置１００−２との双方ともが選択可能であるが、中継装置１００−１についてはすでに送信先アドレス３０４３ａ，３０４３ｂへのデータ転送が決まっており、短時間にデータ転送を完了させるために、送信先アドレス３０４３ｃへの転送データの転送のための中継装置として中継装置１００−２が選択される。つまり、すべてのデータについて短時間でデータ転送が完了するために、できるだけ多くの中継装置１００−１〜１００−ｍを使用して中継装置１００−１〜１００−ｍの負荷を均等化させるように、データ転送のための中継装置１００−１〜１００−ｍが選択される。
【００７５】
その結果、転送データが送信先アドレス３０４３ａ，３０４３ｂへ転送されるための中継装置として中継装置１００−１が、また、転送データが送信先アドレス３０４３ｃに転送されるための中継装置として中継装置１００−２が決定される。その後、中継装置ＩＰアドレス３０５１が格納されている中継装置ＩＰアドレス格納エリア２２０４に対応付けられた送信先アドレス格納エリア２２０５から送信先アドレス３０４３ｃが消去される。
【００７６】
その後、データ変換部２５０によって画像データ格納エリア２２０７に格納されている画像データがＬＡＮ３００上に送信可能なデータ形式、例えばＴＩＦＦやＰＤＦ形式あるいはテキストやバイナリ形式に変換され、変換された画像データが再度画像データ格納エリア２２０７に格納される。そして、データ変換部２５０において、転送データが組み立てられる（ステップＳ４２）。
【００７７】
図１４は、図１に示した指示機装置２００から中継装置１００−１へ送信される転送データの他の構成例を示す図である。
【００７８】
図１４に示すように転送データ３０７は、要求ＩＤ格納エリア２２０３に格納されている要求ＩＤ３０４１と、中継装置ＩＰアドレス格納エリア２２０４に格納されている中継装置ＩＰアドレス３０５１と、送信先アドレス格納エリア２２０５に格納されている送信先アドレス３０４３ａ〜３０４３ｂと、指示機ＩＰアドレス格納エリア２２０１に格納されている指示機ＩＰアドレス３０４２と、画像データ格納エリア２２０７に格納されている画像データ３０７２とから構成されている。これらが各格納エリアから読み出されてワークエリア２２０８上にて組み立てられる。
【００７９】
図１５は、図１に示した指示機装置２００から中継装置１００−２へ送信される転送データの他の構成例を示す図である。
【００８０】
図１５に示すように転送データ３０８は、要求ＩＤ格納エリア２２０３に格納されている要求ＩＤ３０４１と、中継装置ＩＰアドレス格納エリア２２０４に格納されている中継装置ＩＰアドレス３０６１と、送信先アドレス格納エリア２２０５に格納されている送信先アドレス３０４３ｃと、指示機ＩＰアドレス格納エリア２２０１に格納されている指示機ＩＰアドレス３０４２と、画像データ格納エリア２２０７に格納されている画像データ３０７２とから構成されている。これらが各格納エリアから読み出されてワークエリア２２０８上にて組み立てられる。
【００８１】
組み立てられた転送データ３０７，３０８がＬＡＮ制御部２１０を介してＬＡＮ３００に接続されている中継装置１００−１，１００−２にそれぞれ送信される（ステップＳ４３）。
【００８２】
その後、指示機装置２００において、送信完了した転送データ３０７，３０８の要求ＩＤ、中継装置ＩＰアドレス、送信先アドレス及び画像データが記憶部２２０から消去される。
【００８３】
指示機装置２００から転送データ３０７が中継装置１００−１に送信されると、中継装置１００−１にて転送データ３０７が受信され（ステップＳ４４）、ＬＡＮ制御部１１０−１を介して、記憶部１２０−１のワークエリア１２０８−１内に一時格納される。このとき、転送データ３０７内の中継装置ＩＰアドレス３０５１が参照され、中継装置ＩＰアドレス３０５１と中継装置１００−１のＩＰアドレスとが一致したと判断された場合のみ、転送データ３０７がワークエリア１２０８−１内に格納される。
【００８４】
そして、一時格納された転送データ３０７の中から要求ＩＤ３０４１、送信先アドレス３０４３ａ〜３０４３ｂ及び画像データ３０７２がデータ変換部１５０−１によって抽出され、要求ＩＤ３０４１と同じ要求ＩＤが格納されている要求ＩＤ格納エリア１２０３−１に対応付けられた送信先アドレス格納エリア１２０５−１及び画像データ格納エリア１２０７−１に送信先アドレス３０４３ａ〜３０４３ｂ及び画像データ３０７２がそれぞれ格納される（ステップＳ４５）。このとき、画像データ３０７２は、データ変換部１５０−１によってファクシミリ送信可能なデータ形式に変換されて画像データ格納エリア１２０７−１に格納される。
【００８５】
その後、送信先アドレス格納エリア１２０５−１に格納されている送信先ＦＡＸ番号である送信先アドレス３０４３ａ，３０４３ｂに対して、画像データ格納エリア１２０７−１に格納されている変換された画像データがモデム制御部１８０−１を介してファクシミリ送信される（ステップＳ４６）。このとき、ＴＳＩ−ＩＤ格納エリア１２０６−１にＴＳＩ−ＩＤ３０４４が格納されている場合は、ＴＳＩ−ＩＤ３０４４がＴＳＩ信号として付与される。
【００８６】
一方、指示機装置２００から転送データ３０８が中継装置１００−２に送信されると、中継装置１００−２にて転送データ３０８が受信され（ステップＳ４７）、ＬＡＮ制御部１１０−２を介して、記憶部１２０−２のワークエリア１２０８−２内に一時格納される。このとき、転送データ３０８内の中継装置ＩＰアドレス３０６１が参照され、中継装置ＩＰアドレス３０６１と中継装置１００−２のＩＰアドレスとが一致したと判断された場合のみ、転送データ３０８がワークエリア１２０８−２内に格納される。
【００８７】
そして、一時格納された転送データ３０８の中から要求ＩＤ３０４１、送信先アドレス３０４３ｃ及び画像データ３０７２がデータ変換部１５０−２によって抽出され、要求ＩＤ３０４１と同じ要求ＩＤが格納されている要求ＩＤ格納エリア１２０３−２に対応付けられた送信先アドレス格納エリア１２０５−２及び画像データ格納エリア１２０７−２に送信先アドレス３０４３ｃ及び画像データ３０７２がそれぞれ格納される（ステップＳ４８）。このとき、画像データ３０７２は、データ変換部１５０−２によってファクシミリ送信可能なデータ形式に変換されて画像データ格納エリア１２０７−２に格納される。
【００８８】
その後、送信先アドレス格納エリア１２０５−２に格納されている送信先ＦＡＸ番号である送信先アドレス３０４３ｃに対して、画像データ格納エリア１２０７−２に格納されている変換された画像データがモデム制御部１８０−２を介してファクシミリ送信される（ステップＳ４９）。このとき、ＴＳＩ−ＩＤ格納エリア１２０６にＴＳＩ−ＩＤ３０４４が格納されている場合は、ＴＳＩ−ＩＤ３０４４がＴＳＩ信号として付与される。
【図面の簡単な説明】
【００８９】
【図１】本発明のファクシミリ送信システムの実施の一形態を示す図である。
【図２】図１に示した中継装置及び指示機装置の構成を示す図である。
【図３】図２に示した中継装置の記憶部に格納されている要素のエリア構成を示す図である。
【図４】図２に示した指示機装置の記憶部に格納されている要素のエリア構成を示す図である。
【図５】図３に示した応答条件格納エリアの構成を示す図である。
【図６】図１〜５に示したファクシミリ送信システムにおけるファクシミリ送信方法の第１の実施例を説明するためのシーケンス図である。
【図７】図１に示した指示機装置から中継装置へ送信されるブロードキャストデータの一構成例を示す図である。
【図８】図７に示したブロードキャストデータに対して図１に示した中継装置から指示機装置へ送信される応答データの構成を示す図である。
【図９】図１に示した指示機装置から中継装置へ送信される転送データの一構成例を示す図である。
【図１０】図１〜５に示したファクシミリ送信システムにおけるファクシミリ送信方法の第２の実施例を説明するためのシーケンス図である。
【図１１】図１に示した指示機装置から中継装置へ送信されるブロードキャストデータの他の構成例を示す図である。
【図１２】図１１に示したブロードキャストデータに対して図１に示した中継装置のうち選択された１つの中継装置から指示機装置へ送信される応答データの構成を示す図である。
【図１３】図１１に示したブロードキャストデータに対して図１に示した中継装置のうち他の選択された１つの中継装置から指示機装置へ送信される応答データの構成を示す図である。
【図１４】図１に示した指示機装置から選択された１つの中継装置へ送信される転送データの他の構成例を示す図である。
【図１５】図１に示した指示機装置から他の選択された１つの中継装置へ送信される転送データの他の構成例を示す図である。
【符号の説明】
【００９０】
１００−１〜１００−ｍ    中継装置
１１０−１〜１１０−ｍ，２１０    ＬＡＮ制御部
１２０−１〜１２０−ｍ，２２０    記憶部
１３０−１〜１３０−ｍ，２３０    解析部
１４０−１〜１４０−ｍ，２４０    生成部
１５０−１〜１５０−ｍ，２５０    データ変換部
１８０−１〜１８０−ｍ    モデム制御部
２００    指示機装置
２７０    読取部
２９０    入力部
３００    ＬＡＮ
３０１，３０４    ブロードキャストデータ
３０２，３０５，３０６    応答データ
３０３，３０７，３０８    転送データ
４００    電話回線
１２０１−１〜１２０１−ｍ，２２０４    中継装置ＩＰアドレス格納エリア
１２０２−１〜１２０２−ｍ    応答条件格納エリア
１２０３−１〜１２０３−ｍ，２２０３    要求ＩＤ格納エリア
１２０４−１〜１２０４−ｍ，２２０１    指示機ＩＰアドレス格納エリア
１２０５−１〜１２０５−ｍ，２２０５    送信先アドレス格納エリア
１２０６−１〜１２０６−ｍ，２２０６    ＴＳＩ−ＩＤ格納エリア
１２０７−１〜１２０７−ｍ，２２０７    画像データ格納エリア
１２０８−１〜１２０８−ｍ，２２０８    ワークエリア
３０１１，３０４１    要求ＩＤ
３０１２，３０４２    指示機ＩＰアドレス
３０１３    送信先アドレス
３０１４，３０４４    ＴＳＩ−ＩＤ
３０２１，３０５１，３０６１    中継装置ＩＰアドレス
３０３１，３０７２    画像データ
３０４３ａ〜３０４３ｃ    送信先アドレス
１２０２１−１〜１２０２１−ｍ    設定内容格納エリア
１２０２２−１〜１２０２２−ｍ    設定値格納エリア
【図１】
2006304185.tif 000003
【図２】
2006304185.tif 000004
【図３】
2006304185.tif 000005
【図４】
2006304185.tif 000006
【図５】
2006304185.tif 000007
【図６】
2006304185.tif 000008
【図７】
2006304185.tif 000009
【図８】
2006304185.tif 000010
【図９】
2006304185.tif 000011
【図１０】
2006304185.tif 000012
【図１１】
2006304185.tif 000013
【図１２】
2006304185.tif 000014
【図１３】
2006304185.tif 000015
【図１４】
2006304185.tif 000016
【図１５】
2006304185.tif 000017